(57)【要約】  電球形ランプ（１００）は、開口部（１１１）が形成された中空のグローブ（１１０）と、基台（１４０）及び基台（１４０）上に実装されたＬＥＤチップ（１５０）を有し、グローブ（１１０）内に収納されたＬＥＤモジュール（１３０）と、グローブ（１１０）の開口部（１１１）からＬＥＤモジュール（１３０）の近傍まで延びるように設けられたステム（１２０）と、ステム（１２０）に対するＬＥＤモジュール（１３０）の動きを規制する規制部材（１２５）とを備える。
2012060058.tif 000002
【特許請求の範囲】
【請求項１】
開口部が形成された中空のグローブと、
第１基台及び前記第１基台上に実装された第１半導体発光素子を有し、前記グローブ内に収納された第１発光モジュールと、
前記グローブの開口部から前記第１発光モジュールの近傍まで延びるように設けられたステムと、
前記ステムの先端部に固定され、前記ステムに対する前記第１発光モジュールの動きを規制する規制部材とを備える
電球形ランプ。
【請求項２】
前記第１基台には、貫通孔が形成されており、
前記規制部材は、前記貫通孔に挿入されている
請求項１に記載の電球形ランプ。
【請求項３】
前記規制部材は、前記第１基台を前記ステム側から支持している支持部を有する
請求項２に記載の電球形ランプ。
【請求項４】
前記規制部材は、線状部材であり、
前記支持部は、前記規制部材の屈曲部分からなり、前記ステムの先端部と前記第１基台との間に形成されている
請求項３に記載の電球形ランプ。
【請求項５】
前記屈曲部分はＵ字形状である
請求項４に記載の電球形ランプ。
【請求項６】
前記支持部は、前記貫通孔の幅よりも大きな幅を有する部材であり、前記ステムの先端部と前記第１基台との間に設けられている
請求項３に記載の電球形ランプ。
【請求項７】
前記電球形ランプは、複数の前記規制部材を備え、
前記第１基台には、前記複数の規制部材のそれぞれに対応する複数の前記貫通孔が形成されており、
前記複数の貫通孔のうち少なくとも２つの貫通孔の軸方向は互いに異なる
請求項２に記載の電球形ランプ。
【請求項８】
前記ステムは、前記グローブの開口部を塞ぐように前記グローブに接合されており、
前記規制部材の一部は、前記ステムに封着されている
請求項７に記載の電球形ランプ。
【請求項９】
前記規制部材の前記貫通孔から突出した先端部は、折り曲げられている
請求項１〜８のいずれか１項に記載の電球形ランプ。
【請求項１０】
前記規制部材の前記貫通孔に挿入された先端部は、接合材によって前記第１基台に固定されている
請求項１〜９のいずれか１項に記載の電球形ランプ。
【請求項１１】
前記規制部材は、前記第１発光モジュールを支持しており、前記第１発光モジュールに電力を供給するための第１リード線である
請求項１〜１０のいずれか１項に記載の電球形ランプ。
【請求項１２】
前記電球形ランプは、さらに、
前記ステムに固定され、前記第１基台の周縁部を支持している支持線を備える
請求項１１に記載の電球形ランプ。
【請求項１３】
前記ステムは、前記グローブの開口部を塞ぐように前記グローブに接合されており、
前記第１リード線の一部は、前記ステムに封着されている
請求項１１又は１２に記載の電球形ランプ。
【請求項１４】
前記電球形ランプは、さらに、
第２基台及び前記第２基台上に実装された第２半導体発光素子を有し、前記グローブ内に収納された第２発光モジュールと、
前記第１発光モジュール及び前記第２発光モジュールを支持しており、前記第１発光モジュール及び前記第２発光モジュールに電力を供給するための少なくとも２本の第２リード線とを備え、
前記第１リード線は、前記第１基台及び前記第２基台を支持しており、
前記２本の第２リード線のうち、一方は前記第１基台を支持しており、他方は前記第２基台を支持している
請求項１１に記載の電球形ランプ。
【請求項１５】
前記第１リード線は、前記グローブ内において、前記第１発光モジュールと前記第２発光モジュールとを電気的に接続している
請求項１４に記載の電球形ランプ。
【請求項１６】
前記電球形ランプは、少なくとも２本の前記第１リード線を備え、
前記２本の第１リード線のうち、一方は前記第１基台を支持しており、他方は前記第２基台を支持しており、
前記２本の第１リード線の一方と前記２本の第２リード線の一方とを介して、前記第１発光モジュールに電力が供給され、
前記２本の第１リード線の他方と前記２本の第２リード線の他方とを介して、前記第２発光モジュールに電力が供給される
請求項１４に記載の電球形ランプ。
【請求項１７】
前記ステムは、前記グローブの開口部を塞ぐように前記グローブに接合されており、
前記２本の第１リード線のそれぞれの一部と、前記２本の第２リード線のそれぞれの一部とは、前記ステムに封着されている
請求項１６に記載の電球形ランプ。
【請求項１８】
前記第１基台は、透光性を有する
請求項１〜１７のいずれか１項に記載の電球形ランプ。
【請求項１９】
前記ステムは、可視光に対して透明である
請求項１〜１８のいずれか１項に記載の電球形ランプ。
【請求項２０】
前記グローブは、可視光に対して透明なガラスからなる
請求項１〜１９のいずれか１項に記載の電球形ランプ。
【請求項２１】
請求項１〜２０のいずれか１項に記載の電球形ランプを備える照明装置。
【発明の詳細な説明】
【技術分野】
【０００１】
本発明は、半導体発光素子を備える電球形ランプ及びその電球形ランプを備える照明装置に関する。
【背景技術】
【０００２】
半導体発光素子である発光ダイオード（ＬＥＤ：Ｌｉｇｈｔ  Ｅｍｉｔｔｉｎｇ  Ｄｉｏｄｅ）は、従来の照明光源に比べて、小型、高効率及び長寿命である。近年の省エネあるいは省資源に対する市場ニーズが追い風となり、フィラメントコイルを用いた従来の白熱電球の代替えとなる、ＬＥＤを用いた電球形ランプ（以下、単に「ＬＥＤ電球」という）及びそれを備える照明装置の需要が増加している。【０００３】
ＬＥＤは、その温度が上昇するに従って光出力が低下するとともに、寿命が短くなることが知られている。そこで、ＬＥＤの温度上昇を抑制するために、従来のＬＥＤ電球では、半球状のグローブと口金との間に金属製の筐体が設けられる（例えば、特許文献１を参照）。この金属製の筐体が、ＬＥＤで発生した熱を外部に放出するためのヒートシンクとして機能することにより、ＬＥＤの温度上昇を抑制し、光出力の低下を防止することが可能となる。
【先行技術文献】
【特許文献】
【０００４】
【特許文献１】特開２００６−３１３７１７号公報
【発明の概要】
【発明が解決しようとする課題】
【０００５】
しかし、このような従来のＬＥＤ電球では、グローブ内に位置する金属製の筐体の表面上にＬＥＤが設けられているため、口金側への光の放射が筐体によって遮られ、白熱電球と光の広がり方が異なってしまう。つまり、従来のＬＥＤ電球では、白熱電球と同様の配光特性を得ることが難しい。【０００６】
そこで、ＬＥＤ電球において、白熱電球と同様の構成とすることが考えられる。つまり、白熱電球の２本のリード線間に架設されたフィラメントコイルを、半導体発光素子であるＬＥＤとＬＥＤが実装された基台とを有する発光モジュール（ＬＥＤモジュール）に置き換えたＬＥＤ電球が考えられる。この場合、ＬＥＤモジュールは、グローブ内の空中で保持される。したがって、ＬＥＤで生じた光が筐体によって遮られないので、ＬＥＤ電球において白熱電球と同様の配光特性を得ることも可能となる。【０００７】
しかしながら、ＬＥＤモジュールは、白熱電球に利用されるフィラメントコイルと比べて重い。そのため、輸送時の振動等によって、リード線とＬＥＤモジュールとの接続部分に応力が加わり、リード線がＬＥＤモジュールから外れてしまう可能性がある。【０００８】
そこで、本発明は、上記課題を解決するためになされたものであり、従来の白熱電球と同様の配光特性を得ることができ、かつリード線が発光モジュールから外れてしまうことを抑制することができる電球形ランプ及びそれを備える照明装置を提供することを目的とする。
【課題を解決するための手段】
【０００９】
上記目的を達成するために、本発明の一態様に係る電球形ランプは、開口部が形成された中空のグローブと、第１基台及び前記第１基台上に実装された第１半導体発光素子を有し、前記グローブ内に収納された第１発光モジュールと、前記グローブの開口部から前記第１発光モジュールの近傍まで延びるように設けられたステムと、前記ステムに対する前記第１発光モジュールの動きを規制する規制部材とを備える。【００１０】
この構成によれば、ステムの先端部に固定された規制部材によって、ステムに対する第１発光モジュールの動きを規制することができる。したがって、例えば電球形ランプが振動等したときに、リード線と第１発光モジュールとの接続部分に加わる応力を抑制することができ、リード線が第１発光モジュールから外れてしまうことを抑制することが可能となる。また、第１発光モジュールの近傍まで延びるステムの先端部に規制部材が固定されているので、規制部材の長さを短くすることが可能となる。したがって、発光モジュールの動きをさらに規制することができ、振動等によってリード線が発光モジュールから外れてしまうことをより確実に抑制することが可能となる。また、半導体発光素子で生じた光が筐体によって遮られることなく、従来の白熱電球と同様の配光特性を得ることも可能となる。【００１１】
また、前記第１基台には、貫通孔が形成されており、前記規制部材は、前記貫通孔に挿入されていることが好ましい。【００１２】
この構成によれば、規制部材が第１基台の貫通孔に挿入されているので、発光モジュールの動きをさらに規制することができ、振動等によってリード線が発光モジュールから外れてしまうことをより確実に抑制することが可能となる。【００１３】
また、前記規制部材は、前記第１基台を前記ステム側から支持している支持部を有することが好ましい。【００１４】
この構成によれば、第１発光モジュールのステム側への動きを支持部によって規制することができるので、振動等によってリード線が第１発光モジュールから外れてしまうことをより確実に抑制することが可能となる。【００１５】
また、前記規制部材は、線状部材であり、前記支持部は、前記規制部材の屈曲部分からなり、前記ステムの先端部と前記第１基台との間に形成されていることが好ましい。【００１６】
この構成によれば、規制部材の屈曲部分によって支持部が構成されるので、発光モジュールがステム側に動くことを簡易な構成で規制することができる。【００１７】
また、前記屈曲部分はＵ字形状であることが好ましい。【００１８】
この構成によれば、規制部材のＵ字形状に屈曲した部分によって支持部が構成されるので、発光モジュールがステム側に動くことを簡易な構成で規制することができる。【００１９】
また、前記支持部は、前記貫通孔の幅よりも大きな幅を有する部材であり、前記ステムの先端部と前記第１基台との間に設けられていることが好ましい。【００２０】
この構成によれば、貫通孔の幅よりも大きな幅を有する部材によって支持部が構成されるので、第１発光モジュールがステム側に動くことを簡易な構成で規制することができる。【００２１】
また、前記電球形ランプは、複数の前記規制部材を備え、前記第１基台には、前記複数の規制部材のそれぞれに対応する複数の前記貫通孔が形成されており、前記複数の貫通孔のうち少なくとも２つの貫通孔の軸方向は互いに異なることが好ましい。【００２２】
この構成によれば、２つの貫通孔の軸方向が互いに異なるので、第１基台に対して、一方の貫通孔の軸方向に力が加わったとしても、他方の貫通孔に挿入された規制部材によって、当該力の向きに第１基台が動くことを規制することができる。したがって、振動等によってリード線が発光モジュールから外れてしまうことをより確実に抑制することが可能となる。【００２３】
また、前記ステムは、前記グローブの開口部を塞ぐように前記グローブに接合されており、前記規制部材の一部は、前記ステムに封着されていることが好ましい。【００２４】
この構成によれば、ステムによってグローブの開口部が塞がれるので、グローブ外からグローブ内に水分が浸入することを防ぐことができ、水分による第１半導体発光素子の劣化及び第１発光モジュールと規制部材（リード線）との接続部分の劣化を抑制することが可能となる。したがって、振動等によってリード線が第１発光モジュールから外れてしまうことをより確実に抑制することが可能となる。【００２５】
また、前記規制部材の前記貫通孔から突出した先端部は、折り曲げられていることが好ましい。【００２６】
この構成によれば、規制部材の貫通孔から突出した先端部が折り曲げられるので、第１基台がステムから遠ざかる向きに動くことを規制することができる。したがって、振動等によってリード線が第１基台から外れてしまうことをより確実に抑制することが可能となる。【００２７】
また、前記規制部材の前記貫通孔に挿入された先端部は、接合材によって前記第１基台に固定されていることが好ましい。【００２８】
この構成によれば、規制部材の貫通孔から突出した先端部が接合材によって第１基台に固定されるので、振動等によってリード線が第１基台から外れてしまうことをより確実に抑制することが可能となる。【００２９】
また、前記規制部材は、前記第１発光モジュールを支持しており、前記第１発光モジュールに電力を供給するための第１リード線であることが好ましい。【００３０】
この構成によれば、規制部材が第１リード線としても機能するので、電球形ランプの構成を簡易にすることができる。また、第１発光モジュールの近傍まで延びるステムの先端部に固定されている第１リード線によって第１発光モジュールを支持することができる。つまり、第１リード線がステムから露出している部分の長さを比較的短くすることができ、第１リード線の強度を高めることができる。したがって、例えば電球形ランプが振動等したときに、振動等によって第１リード線が第１発光モジュールから外れてしまうことを抑制することが可能となる。【００３１】
また、前記電球形ランプは、さらに、前記ステムに固定され、前記第１基台の周縁部を支持している支持線を備えることが好ましい。【００３２】
この構成によれば、第１基台の周縁部を支持線で支持することができるので、振動等によって第１リード線が第１発光モジュールから外れてしまうことをより確実に抑制することが可能となる。【００３３】
また、前記ステムは、前記グローブの開口部を塞ぐように前記グローブに接合されており、前記第１リード線の一部は、前記ステムに封着されていることが好ましい。【００３４】
この構成によれば、ステムによってグローブの開口部が塞がれるので、グローブ外からグローブ内に水分が浸入することを防ぐことができ、水分による半導体発光素子の劣化及び第１発光モジュールと第１リード線との接続部分の劣化を抑制することが可能となる。したがって、振動等によって第１リード線が第１発光モジュールから外れてしまうことをより確実に抑制することが可能となる。【００３５】
また、前記電球形ランプは、さらに、第２基台及び前記第２基台上に実装された第２半導体発光素子を有し、前記グローブ内に収納された第２発光モジュールと、前記第１発光モジュール及び前記第２発光モジュールを支持しており、前記第１発光モジュール及び前記第２発光モジュールに電力を供給するための少なくとも２本の第２リード線とを備え、前記第１リード線は、前記第１基台及び前記第２基台を支持しており、前記２本の第２リード線のうち、一方は前記第１基台を支持しており、他方は前記第２基台を支持していることが好ましい。【００３６】
この構成によれば、２つの発光モジュールへの電力供給と２つの発光モジュールの支持との両方を第１リード線を用いて実現することができる。したがって、電球形ランプが２つの発光モジュールを備える場合に、比較的簡易な構成でリード線が２つの発光モジュールから外れてしまうことを抑制することが可能となる。【００３７】
また、前記第１リード線は、前記グローブ内において、前記第１発光モジュールと前記第２発光モジュールとを電気的に接続していることが好ましい。【００３８】
この構成によれば、グローブ内における２つの発光モジュールの電気的な接続と２つの発光モジュールの支持との両方を第１リード線を用いて実現することができる。したがって、電球形ランプが２つの発光モジュールを備える場合に、比較的簡易な構成でリード線が２つの発光モジュールから外れてしまうことを抑制することが可能となる。【００３９】
また、前記電球形ランプは、少なくとも２本の前記第１リード線を備え、前記２本の第１リード線のうち、一方は前記第１基台を支持しており、他方は前記第２基台を支持しており、前記２本の第１リード線の一方と前記２本の第２リード線の一方とを介して、前記第１発光モジュールに電力が供給され、前記２本の第１リード線の他方と前記２本の第２リード線の他方とを介して、前記第２発光モジュールに電力が供給されることが好ましい。【００４０】
この構成によれば、２つの発光モジュールのそれぞれに互いに異なるリード線を介して電力を供給することができる。したがって、例えば、２つの発光モジュールの一方のみを点灯させることなどが可能となる。【００４１】
また、前記ステムは、前記グローブの開口部を塞ぐように前記グローブに接合されており、前記２本の第１リード線のそれぞれの一部と、前記２本の第２リード線のそれぞれの一部とは、前記ステムに封着されていることが好ましい。【００４２】
この構成によれば、ステムによってグローブの開口部が塞がれるので、グローブ外からグローブ内に水分が浸入することを防ぐことができ、水分による半導体発光素子の劣化及び発光モジュールとリード線との接続部分の劣化を抑制することが可能となる。したがって、振動等によって第１リード線及び第２リード線が第１発光モジュール又は第２発光モジュールから外れてしまうことをより確実に抑制することが可能となる。【００４３】
また、前記第１基台は、透光性を有することが好ましい。【００４４】
この構成によれば、基台が透光性を有するので、半導体発光素子で生じた光が基台内部を透過する。つまり、基台の半導体発光素子が実装されていない部分からも光が出射される。したがって、半導体発光素子が基台の一面だけに実装された場合であっても、他の面からも光が出射され、白熱電球と同様の配光特性を得ることが可能となる。【００４５】
また、前記ステムは、可視光に対して透明であることが好ましい。【００４６】
この構成によれば、ステムが可視光に対して透明となるので、半導体発光素子で生じた光がステムによって損失することを抑制することができる。また、ステムによって影が形成されることを防ぐこともできる。また、半導体発光素子で生じた光によってステムが光り輝くので、視覚的に優れた美観を発揮することも可能となる。【００４７】
また、前記グローブは、可視光に対して透明なガラスからなることが好ましい。【００４８】
この構成によれば、グローブが可視光に対して透明となるので、半導体発光素子で生じた光の損失を抑制することができる。また、グローブがガラス製となるので、高い耐熱性を得ることができる。【００４９】
なお、本発明は、このような電球形ランプとして実現することができるだけでなく、このような電球形ランプを備える照明装置として実現することもできる。
【発明の効果】
【００５０】
本発明によれば、従来の白熱電球と同様の配光特性を得ることができ、かつリード線が発光モジュールから外れてしまうことを抑制することができる。
【図面の簡単な説明】
【００５１】
【図１】図１は、本発明の実施の形態１に係る電球形ランプの斜視図である。
【図２】図２は、本発明の実施の形態１に係る電球形ランプの分解斜視図である。
【図３】図３は、本発明の実施の形態１に係る電球形ランプの正面図である。
【図４】図４は、本発明の実施の形態１に係るＬＥＤモジュール周辺のＹ方向からみた断面図である。
【図５】図５は、本発明の実施の形態１に係るＬＥＤチップのＹ方向からみた拡大断面図である。
【図６】図６は、本発明の実施の形態１に係る点灯回路の回路図である。
【図７】図７は、本発明の実施の形態１の変形例１に係るＬＥＤモジュール周辺の斜視図である。
【図８】図８は、本発明の実施の形態１の変形例１に係るＬＥＤモジュール周辺のＹ方向からみた断面図である。
【図９】図９は、本発明の実施の形態１の変形例２に係るＬＥＤモジュール周辺のＹ方向からみた断面図である。
【図１０】図１０は、本発明の実施の形態２に係るＬＥＤモジュール周辺の斜視図である。
【図１１Ａ】図１１Ａは、本発明の実施の形態２に係るＬＥＤモジュール周辺のＡ−Ａ断面における断面図である。
【図１１Ｂ】図１１Ｂは、本発明の実施の形態２に係るＬＥＤモジュール周辺のＢ−Ｂ断面における断面図である。
【図１２】図１２は、本発明の実施の形態２の変形例に係るＬＥＤモジュール周辺のＹ方向からみた断面図である。
【図１３】図１３は、本発明の実施の形態３に係るＬＥＤモジュール周辺の斜視図である。
【図１４】図１４は、本発明の実施の形態３に係るＬＥＤモジュール周辺のＹ方向からみた断面図である。
【図１５】図１５は、本発明の実施の形態３の変形例に係る電球形ランプのＹ方向からみた断面図である。
【図１６】図１６は、本発明の一態様に係る電球形ランプのＬＥＤモジュール周辺の斜視図である。
【図１７】図１７は、本発明の実施の形態４に係る電球形ランプの斜視図である。
【図１８】図１８は、本発明の実施の形態４に係る電球形ランプの分解斜視図である。
【図１９】図１９は、本発明の実施の形態４に係る電球形ランプの正面図である。
【図２０】図２０は、本発明の実施の形態４に係るＬＥＤモジュール周辺のＹ方向からみた断面図である。
【図２１】図２１は、本発明の実施の形態４に係るＬＥＤモジュール周辺のＸ方向からみた断面図である。
【図２２】図２２は、本発明の実施の形態４に係るＬＥＤモジュールの平面図である。
【図２３】図２３は、本発明の実施の形態４の変形例１に係るＬＥＤモジュール周辺のＸ方向からみた断面図である。
【図２４】図２４は、本発明の実施の形態４の変形例２に係るＬＥＤモジュールの平面図である。
【図２５】図２５は、本発明の実施の形態４の変形例３に係るＬＥＤモジュール周辺のＹ方向からみた断面図である。
【図２６】図２６は、本発明の実施の形態５に係る電球形ランプの正面図である。
【図２７】図２７は、本発明の実施の形態５に係るＬＥＤモジュール周辺のＹ方向からみた断面図である。
【図２８】図２８は、本発明の実施の形態５の変形例に係るＬＥＤモジュール周辺のＹ方向からみた断面図である。
【図２９】図２９は、本発明の実施の形態６に係るＬＥＤモジュール周辺の斜視図である。
【図３０】図３０は、本発明の実施の形態６に係るＬＥＤモジュール周辺のＹ方向からみた断面図である。
【図３１】図３１は、本発明の一態様に係る照明装置の概略断面図である。
【発明を実施するための形態】
【００５２】
以下に、本発明の実施の形態に係る電球形ランプ及び照明装置について、図面を参照しながら説明する。なお、各図は、模式図であり、必ずしも厳密に図示したものではない。
【００５３】
（実施の形態１）
まず、本発明の実施の形態１に係る電球形ランプ１００について説明する。
【００５４】
（電球形ランプ１００の全体構成）
図１は、本発明の実施の形態１に係る電球形ランプ１００の斜視図である。また、図２は、本発明の実施の形態１に係る電球形ランプ１００の分解斜視図である。また、図３は、本発明の実施の形態１に係る電球形ランプ１００の正面図である。なお、図３において、口金１９０の内部に位置する、点灯回路１８０とリード線１７０の一部とは、点線で示されている。
【００５５】
本実施の形態に係る電球形ランプ１００は、透光性のグローブ１１０に口金１９０が取り付けられた電球である。グローブ１１０内には、ＬＥＤチップが実装されたＬＥＤモジュール１３０が収納されている。規制部材１２５は、ＬＥＤモジュール１３０が有する基台１４０に形成された貫通孔１４２に挿入されており、ステム１２０に対する基台１４０の動きを規制している。
【００５６】
具体的には、図１〜図３に示すように、電球形ランプ１００は、グローブ１１０と、ステム１２０と、規制部材１２５と、ＬＥＤモジュール１３０と、２本のリード線１７０と、点灯回路１８０と、口金１９０とを備える。
【００５７】
以下、電球形ランプ１００の各構成要素について詳細に説明する。
【００５８】
（グローブ１１０）
グローブ１１０は、可視光に対して透明なシリカガラス製の中空部材である。したがって、ユーザがグローブ１１０内に収納されたＬＥＤモジュール１３０を、グローブ１１０の外側から視認できる。また、電球形ランプ１００は、ＬＥＤチップ１５０で生じた光がグローブ１１０によって損失することを抑制することができる。さらに、電球形ランプ１００は、高い耐熱性を得ることができる。
【００５９】
グローブ１１０の形状は、一端が球状に閉塞され、他端に開口部１１１を有する形状である。言い換えると、グローブ１１０の形状は、中空の球の一部が、球の中心部から遠ざかる方向に延びながら狭まったような形状であり、球の中心部から遠ざかった位置に開口部１１１が形成されている。本実施の形態では、グローブ１１０の形状は、一般的な白熱電球と同様のＡ形（ＪＩＳ  Ｃ７７１０）である。
【００６０】
なお、グローブ１１０の形状は、必ずしもＡ形である必要はない。例えば、グローブ１１０の形状は、Ｇ形又はＥ形等であってもよい。また、グローブ１１０は、必ずしも可視光に対して透明である必要はなく、シリカガラス製である必要もない。例えば、グローブ１１０は、アクリル等の樹脂製の部材であってもよい。
【００６１】
（ステム１２０）
ステム１２０は、グローブ１１０の開口部１１１からグローブ１１０内に向かって延びるように設けられている。具体的には、ステム１２０の一端には、ＬＥＤモジュール１３０の近傍までＺ方向に延びる棒状の延伸部１２０ａが形成されている。この延伸部１２０ａの先端部には、ＬＥＤモジュール１３０の動きを規制する規制部材１２５が固定されている。
【００６２】
一方、ステム１２０の他端は、グローブ１１０の開口部１１１の形状と一致するようにフレア状に形成されている。そして、フレア状に形成されたステム１２０の他端は、グローブ１１０の開口部１１１を塞ぐように、グローブ１１０の開口部１１１に接合されている。また、ステム１２０内には、２本のリード線１７０それぞれの一部が封着されている。その結果、グローブ１１０内の気密性が保たれた状態で、グローブ１１０内にあるＬＥＤモジュール１３０にグローブ１１０外から電力を供給することが可能となる。したがって、電球形ランプ１００は、長期間にわたり、水あるいは水蒸気などがグローブ１１０内に浸入することを防ぐことができ、水分によるＬＥＤモジュール１３０の劣化及びＬＥＤモジュール１３０とリード線１７０との接続部分の劣化を抑制することができる。
【００６３】
また、ステム１２０は、可視光に対して透明な軟質ガラスからなる。これにより、電球形ランプ１００は、ＬＥＤチップ１５０で生じた光がステム１２０によって損失することを抑制することができる。また、電球形ランプ１００は、ステム１２０によって影が形成されることが防ぐこともできる。また、ＬＥＤチップ１５０が発した光によってステム１２０が光り輝くので、電球形ランプ１００は、視覚的に優れた美観を発揮することも可能となる。
【００６４】
なお、ステム１２０は、必ずしも可視光に対して透明である必要はなく、また軟質ガラス製である必要もない。例えば、ステム１２０は、高熱伝導性の樹脂からなる部材であってもよい。高熱伝導性の樹脂としては、例えば、アルミナあるいは酸化亜鉛などの金属製粒子が混入されたシリコーン樹脂が利用されればよい。この場合、電球形ランプ１００は、ＬＥＤモジュール１３０で生じた熱を規制部材１２５及びステム１２０を介して積極的にグローブ１１０又は口金１９０に逃がすことが可能となる。その結果、電球形ランプ１００は、温度上昇によるＬＥＤチップ１５０の発光効率の低下及び寿命の低下を抑制することが可能となる。
【００６５】
また、ステム１２０は、必ずしもグローブ１１０の開口部１１１を塞ぐ必要はなく、開口部１１１の一部に取り付けられてもよい。
【００６６】
（規制部材１２５）
図４は、本発明の実施の形態１に係るＬＥＤモジュール１３０周辺のＹ方向かみた断面図である。図４に示すように、規制部材１２５は、例えば金属製の線状部材であり、貫通孔１４２に挿入され、基台１４０の動きを規制する。本実施の形態では、規制部材１２５は、延伸部１２０ａの先端部に固定され、ＬＥＤモジュール１３０に向かって直線状に延びている。また、規制部材１２５は、ＬＥＤモジュール１３０の水平面（ＸＹ平面）における動きを規制することができる程度の剛性を有する。
【００６７】
なお、規制部材１２５は、必ずしも金属製の部材である必要はなく、例えば、規制部材１２５は、可視光に対して透明なアクリル等の樹脂製の部材であってもよい。つまり、規制部材１２５は、貫通孔１４２を介してＬＥＤモジュール１３０の動きを規制することができる程度の剛性を有する部材であれば、どのような材料の部材であっても構わない。
【００６８】
（ＬＥＤモジュール１３０）
ＬＥＤモジュール１３０は、発光モジュールに相当し、グローブ１１０内に収納されている。好ましくは、ＬＥＤモジュール１３０は、グローブ１１０によって形成される球形状の中心位置（例えばグローブ１１０の内径の大きい径大部分の内部）に配置される。このように中心位置にＬＥＤモジュール１３０が配置されることにより、電球形ランプ１００は、点灯時に従来のフィラメントコイルを用いた一般的な白熱電球と近似した全周配光特性を得ることができる。
【００６９】
図４に示すように、ＬＥＤモジュール１３０は、基台１４０と、複数のＬＥＤチップ１５０と、封止材１６０とを有する。そして、ＬＥＤモジュール１３０は、複数のＬＥＤチップ１５０が装着された面をグローブ１１０の頂部に（Ｚ方向の正の向きに）向けて配置される。
【００７０】
（基台１４０）
基台１４０は、可視光に対して透光性を有する部材であり、具体的にはアルミナを含むセラミック製の部材である。基台１４０の中央部分には、Ｚ方向に基台１４０を貫通する貫通孔１４２が形成されている。この貫通孔１４２に、規制部材１２５が挿入されている。
【００７１】
なお、基台１４０は、可視光の透過率が高い部材であることが好ましい。これにより、ＬＥＤチップ１５０で生じた光が、基台１４０の内部を透過して、ＬＥＤチップ１５０が実装されていない面からも出射される。したがって、ＬＥＤチップ１５０が基台１４０の一側面だけに実装された場合であっても、他の側面からも光が出射され、白熱電球と同様の配光特性を得ることが可能となる。
【００７２】
なお、基台１４０は、必ずしも透光性を有する必要はない。その場合、例えばＬＥＤチップ１５０が基台１４０の複数の側面に実装されてもよい。
【００７３】
基台１４０の形状は、四角柱形状（長さ２０ｍｍ（Ｘ方向）、幅１ｍｍ（Ｙ方向）、厚さ０．８ｍｍ（Ｚ方向））である。基台１４０の形状が角柱形状であるので、電球形ランプ１００は、白熱電球のフィラメントコイルを擬似的にＬＥＤモジュール１３０で再現することが可能となる。なお、基台１４０の形状及び大きさは、一例であり、他の形状及び大きさであってもよい。
【００７４】
基台１４０の長手方向（Ｘ方向）の両端部のそれぞれには、給電端子１４１が設けられている。２本のリード線１７０のそれぞれは、給電端子１４１に半田により電気的及び物理的に接続されている。
【００７５】
なお、基台１４０は、放熱性を高めるために熱伝導率及び熱放射の放射率が高い部材であることが好ましい。具体的には、基台１４０は、例えば、ガラスやセラミックを称して一般に硬脆材と呼ばれる材料の部材であることが好ましい。ここで放射率とは、黒体（完全放射体）の熱放射に対する比率で表され、０から１の値となる。ガラスあるいはセラミックの放射率は、０．７５〜０．９５であり、黒体に近い熱放射が実現される。実用上は、基台１４０の熱放射率は、好ましくは０．８以上であり、より好ましくは０．９以上である。
【００７６】
（ＬＥＤチップ１５０）
ＬＥＤチップ１５０は、半導体発光素子であり、本実施の形態では通電されれば青色光を発する。ＬＥＤチップ１５０は、基台１４０の一側面に実装されている。具体的には、５個のＬＥＤチップ１５０が、２つの給電端子１４１の間に直線状に並べて実装されている。
【００７７】
図５は、本発明の実施の形態１に係るＬＥＤチップ１５０のＹ方向からみた拡大断面図である。
【００７８】
図５に示すように、ＬＥＤチップ１５０は、縦長形状（長さ６００μｍ、幅３００μｍ、厚さ１００μｍ）をしている。ＬＥＤチップ１５０は、サファイア基板１５１と、当該サファイア基板１５１上に積層された、互いに異なる組成からなる複数の窒化物半導体層１５２とを有する。
【００７９】
窒化物半導体層１５２の上面の端部には、カソード電極１５３とアノード電極１５４とが形成されている。また、カソード電極１５３及びアノード電極１５４の上には、ワイヤーボンド部１５５、１５６がそれぞれ形成されている。
【００８０】
互いに隣り合うＬＥＤチップ１５０のカソード電極１５３とアノード電極１５４とは、ワイヤーボンド部１５５、１５６を介して、金ワイヤー１５７により電気的に直列に接続されている。そして、両端に位置するＬＥＤチップ１５０のカソード電極１５３又はアノード電極１５４は、金ワイヤー１５７により給電端子１４１に接続されている。
【００８１】
各ＬＥＤチップ１５０は、サファイア基板１５１側の面が基台１４０の実装面と対向するように、透光性のチップボンディング材１５８により基台１４０に実装されている。
【００８２】
チップボンディング材には、酸化金属からなるフィラーを含有したシリコーン樹脂などを使用できる。チップボンディング材に透光性の材料を使用することにより、ＬＥＤチップ１５０のサファイア基板１５１側の面とＬＥＤチップ１５０の側面とから出る光の損失を低減することができ、チップボンディング材による影の発生を防ぐことができる。
【００８３】
なお、本実施の形態では、複数のＬＥＤチップ１５０が基台１４０上に実装された例を示しているが、ＬＥＤチップ１５０の個数は、電球形ランプ１００の用途に応じて適宜、変更されればよい。例えば、豆電球代替の用途においては、基台１４０上に実装されるＬＥＤチップ１５０は１個であってもよい。
【００８４】
（封止材１６０）
封止材１６０は、透光性を有する部材であり、複数のＬＥＤチップ１５０を覆うように設けられている。具体的には、封止材１６０は、シリコーン樹脂等の透光性樹脂からなり、波長変換材である蛍光体粒子（不図示）と光拡散材（不図示）とを含む。
【００８５】
封止材１６０は、例えば、以下のような２つの工程を経て形成される。まず、第一工程では、波長変換材を含む未硬化のペースト状の封止材１６０を、ディスペンサーにより一筆書きで、複数のＬＥＤチップ１５０上に直線状に塗布する。次に、第二工程では、塗布されたペースト状の封止材１６０を硬化させる。
【００８６】
このように形成された封止材１６０のＸ方向からみた断面は、ドーム状であり、幅１ｍｍ、高さ０．２ｍｍである。なお、封止材１６０のＹ方向からみた断面の幅は、基台１４０の幅とほぼ同一である。
【００８７】
ＬＥＤチップ１５０が発した青色光の一部は、封止材１６０に含まれる波長変換材に吸収され、他の波長の光に変換される。例えば、（Ｙ，Ｇｄ）3Ａｌ5Ｏ12：Ｃｅ3+、Ｙ3Ａｌ5Ｏ12：Ｃｅ3+、などのＹＡＧ蛍光体を波長変換材として用いた場合、ＬＥＤチップ１５０が発した青色光の一部は黄色光に変換される。波長変換材に吸収されなかった青色光と、波長変換材によって変換された黄色光とは、封止材１６０中で拡散し、混合されることにより、封止材１６０から白色光となって出射される。
【００８８】
光拡散材には、シリカなどの粒子が用いられる。本実施の形態では、透光性を有する基台１４０を用いているので、線形状の封止材１６０から出射された白色光は、基台１４０の内部を透過し、基台１４０のＬＥＤチップ１５０が実装されていない側面からも出射される。その結果、点灯時に角柱形状の基台１４０のどの側面側から見ても、既存の白熱電球のフィラメントコイルのように輝いて見える。
【００８９】
なお、封止材１６０は、ＬＥＤチップ１５０が実装されていない面にも設けられてもよい。これにより、基台１４０内を透過してＬＥＤチップ１５０が実装されていない側面から出射される青色光の一部が黄色光に変換される。したがって、ＬＥＤチップ１５０が実装されていない側面から出射される光の色を、封止材１６０から直接出射される光の色に近づけることができる。
【００９０】
なお、封止材１６０に含まれる波長変換材は、例えば、（Ｓｒ，Ｂａ）2ＳｉＯ4：Ｅｕ2+、Ｓｒ3ＳｉＯ5：Ｅｕ2+などの黄色蛍光体であってもよい。また、波長変換材は、（Ｂａ，Ｓｒ）2ＳｉＯ4：Ｅｕ2+、Ｂａ3Ｓｉ6Ｏ12Ｎ2：Ｅｕ2+などの緑色蛍光体であってもよい。また、波長変換材は、ＣａＡｌＳｉＮ3：Ｅｕ2+、Ｓｒ2（Ｓｉ，Ａｌ）5（Ｎ，Ｏ）8：Ｅｕ2+などの赤色蛍光体であってもよい。
【００９１】
また、封止材１６０は、必ずしもシリコーン樹脂からなる必要はなく、フッ素系樹脂など有機材のほか、低融点ガラス、ゾルゲルガラス等の無機材からなる部材であってもよい。無機材は有機材に比べ耐熱特性が優れているので、無機材からなる封止材１６０は、高輝度化に有利である。
【００９２】
（リード線１７０）
２本のリード線１７０は、ＬＥＤモジュール１３０を支持しており、ＬＥＤモジュール１３０をグローブ１１０内の一定の位置に保持している。また、口金１９０から供給された電力が、２本のリード線１７０を介して、ＬＥＤチップ１５０に供給される。各リード線１７０は、内部リード線１７１、ジュメット線（銅被覆ニッケル鋼線）１７２、及び外部リード線１７３を、この順に接合した複合線によって構成され、ＬＥＤモジュール１３０を支えるのに十分な強度を有している。
【００９３】
内部リード線１７１は、ステム１２０からＬＥＤモジュール１３０に向かって延びており、Ｌ字状に折り曲げられたその先端部が基台１４０に接合され、ＬＥＤモジュール１３０を支持する。ジュメット線１７２は、ステム１２０内に封着される。外部リード線１７３は、点灯回路１８０からステム１２０に向かって延びている。
【００９４】
ここで、リード線１７０は、熱伝導率が高い銅を含む金属線であることが好ましい。これにより、ＬＥＤモジュール１３０で生じた熱を、積極的にリード線１７０を介して、口金１９０に逃がすことができる。
【００９５】
なお、リード線１７０は、必ずしも複合線である必要はなく、同一の金属線からなる単線であってもよい。また、リード線１７０は、必ずしも２本である必要はない。例えば、電球形ランプ１００は、複数のＬＥＤモジュール１３０をグローブ１１０内に備える場合、ＬＥＤモジュール１３０ごとに２本のリード線１７０を備えてもよい。つまり、電球形ランプ１００は、ＬＥＤモジュール１３０の２倍の本数のリード線１７０を備えてもよい。
【００９６】
（点灯回路１８０）
点灯回路１８０は、ＬＥＤチップ１５０を発光させるための回路であり、口金１９０内に収納されている。具体的には、点灯回路１８０は、複数の回路素子と、各回路素子が実装される回路基板とを有する。本実施の形態では、点灯回路１８０は、口金１９０から受電した交流電力を直流電力に変換し、２本のリード線１７０を介してＬＥＤチップ１５０に当該直流電力を供給する。
【００９７】
図６は、本発明の実施の形態１に係る点灯回路１８０の回路図である。図６に示すように、点灯回路１８０は、整流用のダイオードブリッジ１８３と、平滑用のコンデンサー１８４と、電流調整用の抵抗１８５とを備える。ダイオードブリッジ１８３の入力端が点灯回路１８０の入力端子１８１に接続される。また、ダイオードブリッジ１８３の出力端とその一端が接続された、コンデンサー１８４及び抵抗１８５の他端とが点灯回路１８０の出力端子１８２に接続される。
【００９８】
入力端子１８１は、口金１９０と電気的に接続される。具体的には、入力端子１８１の一方は、口金１９０の側面のスクリュー部１９１に接続される。また、入力端子１８１の他方は、口金１９０の底部のアイレット部１９２に接続される。
【００９９】
出力端子１８２は、リード線１７０に接続され、ＬＥＤチップ１５０と電気的に接続される。
【０１００】
なお、電球形ランプ１００は、必ずしも点灯回路１８０を備えなくてもよい。例えば、電池などから直流電力が供給される場合には、電球形ランプ１００は、点灯回路１８０を備えなくてもよい。その場合、外部リード線１７３の一方がスクリュー部１９１に接続され、外部リード線１７３の他方がアイレット部１９２に接続される。
【０１０１】
また、点灯回路１８０は、平滑回路に限られるものではなく、調光回路、昇圧回路などを適宜選択、組み合わせることもできる。
【０１０２】
（口金１９０）
口金１９０は、グローブ１１０の開口部１１１に設けられている。具体的には、口金１９０は、グローブ１１０の開口部１１１を覆うように、セメント等の接着剤を用いてグローブ１１０に取り付けられる。本実施の形態では、口金１９０は、Ｅ２６形の口金である。電球形ランプ１００は、商用の交流電源と接続されたＥ２６口金用ソケットに取り付けて使用される。
【０１０３】
なお、口金１９０は、必ずしもＥ２６形の口金である必要はなく、Ｅ１７形など異なる大きさの口金であってもよい。また、口金１９０は、必ずしもネジ込み形の口金である必要はなく、例えば差し込み形など異なる形状の口金であってもよい。
【０１０４】
また、口金１９０は、グローブ１１０の開口部１１１に直接取り付けられる構成としたが、この構成に限定されない。口金１９０は、グローブ１１０に間接的に取り付けられてもよい。例えば、口金１９０は、樹脂ケース等の樹脂部品を介して、グローブ１１０に取り付けられてもよい。上記樹脂ケースには、例えば、点灯回路１８０等が収納されてもよい。
【０１０５】
以上のように、本実施の形態に係る電球形ランプ１００によれば、ＬＥＤモジュール１３０の動きを、基台１４０の貫通孔１４２に挿入された規制部材１２５によって規制することができる。したがって、例えば電球形ランプ１００が振動等したときに、リード線１７０とＬＥＤモジュール１３０との接続部分に加わる応力を抑制することができ、リード線１７０がＬＥＤモジュール１３０から外れてしまうことを抑制することが可能となる。また、ＬＥＤモジュール１３０を内部に収納したグローブ１１０の開口部１１１に口金１９０が設けられるので、ＬＥＤチップ１５０で生じた光が筐体によって遮られることなく、従来の白熱電球と同様の配光特性を得ることが可能となる。
【０１０６】
以下に、本発明の実施の形態１に係る電球形ランプ１００の変形例について説明する。
【０１０７】
（実施の形態１の変形例１）
まず、本発明の実施の形態１の変形例１について説明する。
【０１０８】
本発明の実施の形態１の変形例１に係る電球形ランプは、実施の形態１に係る電球形ランプと、主として規制部材１２５の形状が異なる。以下に、本変形例に係る電球形ランプについて、図面を参照しながら説明する。なお、本変形例において、実施の形態１に係る電球形ランプと同様の構成要素については、適宜、図示及び説明を省略する。
【０１０９】
図７は、本発明の実施の形態１の変形例１に係るＬＥＤモジュール１３０周辺の斜視図である。また、図８は、本発明の実施の形態１の変形例１に係るＬＥＤモジュール１３０周辺のＹ方向かみた断面図である。
【０１１０】
図７の（ａ）に示すように、本変形例に係る電球形ランプ１００の規制部材１２５は、基台１４０をステム１２０側から支持する支持部１２６を有する。この支持部１２６は、規制部材１２５の屈曲部分からなり、ステム１２０と基台１４０との間に形成されている。本実施の形態では、屈曲部分はＵ字形状である。
【０１１１】
このように、規制部材１２５に支持部１２６が設けられることにより、電球形ランプ１００は、基台１４０がステム１２０側（Ｚ方向の負の向き）に動くことを簡易な構成で規制することができる。また、Ｕ字形状に形成された支持部１２６は、Ｚ方向に弾性を有するので、Ｚ方向の振動を吸収することも可能となる。
【０１１２】
また、図７の（ｂ）に示すように、規制部材１２５の先端部１２７は、基台１４０の貫通孔１４２に挿入された後、Ｌ字状に折り曲げられる。つまり、規制部材１２５の貫通孔１４２から突出した先端部１２７は折り曲げられている。これにより、基台１４０がステム１２０から遠ざかる向き（Ｚ方向の正の向き）に動くことが規制される。
【０１１３】
以上のように、本変形例に係る電球形ランプ１００によれば、規制部材１２５は、ＬＥＤモジュール１３０が、水平方向（Ｘ方向及びＹ方向）だけではなく、鉛直方向（Ｚ方向）に動くことも規制することができる。したがって、例えば電球形ランプ１００が振動等したときに、ＬＥＤモジュール１３０からリード線１７０が外れてしまうことをより確実に抑制することが可能となる。
【０１１４】
なお、支持部１２６は、必ずしもＵ字形状である必要はない。支持部１２６は、例えば、コの字形状あるいはコイル状などであってもよい。つまり、支持部１２６は、基台１４０が規制部材１２５に沿ってステム１２０側に動くことを規制できれば、どのような形状であってもよい。
【０１１５】
（実施の形態１の変形例２）
次に、本発明の実施の形態１の変形例２について説明する。
【０１１６】
本発明の実施の形態１の変形例２に係る電球形ランプ１００は、規制部材１２５の貫通孔１４２から突出した先端部１２７が接合材１２８によって基台１４０に固定される点に特徴を有する。以下、本変形例に係る電球形ランプについて、図面を参照しながら説明する。なお、本変形例において、実施の形態１の変形例１に係る電球形ランプと同様の構成要素については、適宜、図示及び説明を省略する。
【０１１７】
図９は、本発明の実施の形態１の変形例２に係るＬＥＤモジュール１３０周辺のＹ方向かみた断面図である。
【０１１８】
図９に示すように、規制部材１２５の先端部１２７は、接合材１２８によって基台１４０に固定されている。具体的には、先端部１２７は、半田によってグローブ１１０の頂部側の基台１４０の側面に接合されている。したがって、ＬＥＤモジュール１３０の動きをさらに規制することができ、振動等によってリード線１７０が基台１４０から外れてしまうことをより確実に抑制することが可能となる。
【０１１９】
なお、接合材１２８は、必ずしも半田である必要はなく、例えばシリコーン樹脂からなる接着剤であってもよい。つまり、接合材１２８は、規制部材１２５を基台１４０に固定できればよく、規制部材１２５の材質などに応じて適宜変更されてもよい。
【０１２０】
（実施の形態２）
次に、本発明の実施の形態２に係る電球形ランプ１００について説明する。
【０１２１】
本実施の形態に係る電球形ランプは、実施の形態１に係る電球形ランプと、基台１４０及び規制部材１２５の形状及び構造が異なる。以下、本実施の形態に係る電球形ランプについて、図面を参照しながら説明する。なお、本実施の形態において、実施の形態１に係る電球形ランプと同様の構成要素については、適宜、図示及び説明を省略する。
【０１２２】
図１０は、本発明の実施の形態２に係るＬＥＤモジュール１３０周辺の斜視図である。また、図１１Ａ及び図１１Ｂは、本発明の実施の形態２に係るＬＥＤモジュール１３０周辺のＹ方向かみた断面図である。具体的には、図１１Ａは、図１０の（ｂ）におけるＡ−Ａ断面における断面図であり、図１１Ｂは、図１０の（ｂ）におけるＢ−Ｂ断面における断面図である。
【０１２３】
規制部材１２５は、ステム１２０の延伸部１２０ａの先端部に固定され、基台１４０の貫通孔１４２に挿入されている。また、規制部材１２５は、基台１４０をステム１２０側から支持している支持部１２６を有する。この支持部１２６は、貫通孔１４２の幅よりも大きな幅を有する部材であり、延伸部１２０ａの先端部と基台１４０との間に設けられている。
【０１２４】
ここで、貫通孔１４２の幅及び支持部１２６の幅とは、貫通孔１４２の開口面に対して平行な一方向における長さである。つまり、支持部１２６は、所定の状態で設置された場合に、貫通孔１４２を通過できないような形状を有する。
【０１２５】
また、規制部材１２５の先端部１２７は、規制部材１２５の軸方向（Ｚ方向）に切断されている。つまり、貫通孔１４２に挿入された規制部材１２５の先端部１２７は２つに分岐している。このように２つに分岐している先端部１２７は、貫通孔１４２に挿入された後（図１０の（ａ））、互いに異なる向きに折り曲げられる（図１０の（ｂ））。
【０１２６】
基台１４０は、窒化アルミニウムを含むセラミック製の透光性を有する部材である。また、基台１４０は、板形状（長さ２０ｍｍ、幅１０ｍｍ、厚さ０．８ｍｍ）であり、その中央部に、Ｚ方向に基台１４０を貫通している貫通孔１４２が形成されている。
【０１２７】
基台１４０の対角部分には、給電端子１４１がそれぞれ設けられている。２本のリード線１７０のそれぞれは、対角部分に設けられた給電端子１４１に半田により電気的及び物理的に接続されている。
【０１２８】
また、図１１Ｂに示すように、基台１４０の一方の面（表面）には、金属配線パターン１４３が形成されており、ＬＥＤチップ１５０が実装されている。この金属配線パターン１４３を介して、各ＬＥＤチップ１５０に電力が供給される。なお、配線パターンは、ＩＴＯ（Ｉｎｄｉｕｍ  Ｔｉｎ  Ｏｘｉｄｅ）などの透光性導電材により形成されてもよい。この場合、金属配線パターンに比べて、ＬＥＤチップ１５０で生じた光を配線パターンによって損失することを抑制することができる。
【０１２９】
ＬＥＤチップ１５０は、通電されれば紫色光を発する半導体発光素子である。具体的には、１０個のＬＥＤチップ１５０を一列とし、２０個のＬＥＤチップ１５０が２列に実装されている。これにより、電球形ランプ１００は、２本のフィラメントコイルを有する白熱電球を再現することができる。
【０１３０】
封止材１６０は、透光性を有する部材であり、ＬＥＤチップ１５０の列をそれぞれ覆うように設けられている。封止材１６０には、波長変換材として、青色蛍光体、緑色蛍光体、及び赤色蛍光体が含まれる。その結果、ＬＥＤチップ１５０で生じた紫色光は、白色光に変換される。
【０１３１】
以上のように、本変形例に係る電球形ランプ１００によれば、支持部１２６が貫通孔１４２の幅よりも大きな幅を有するので、ＬＥＤモジュール１３０がステム１２０側に動くことを規制することができる。したがって、振動等によって基台１４０からリード線１７０が外れてしまうことを抑制することが可能となる。
【０１３２】
なお、本実施の形態では、支持部１２６は、円板状であったが、必ずしも円板状である必要はない。例えば、支持部１２６は、角柱状あるいは錘状であってもよい。つまり、支持部１２６は、所定の設置状態において貫通孔１４２を通過することができない形状であれば、どのような形状であってもよい。
【０１３３】
（実施の形態２の変形例）
次に、本発明の実施の形態２に係る電球形ランプ１００の変形例について説明する。
【０１３４】
本変形例に係る電球形ランプは、実施の形態２に係る電球形ランプと、規制部材１２５の先端部１２７の構造が異なる。以下、本変形例に係る電球形ランプについて、図面を参照しながら説明する。なお、本変形例において、実施の形態２に係る電球形ランプと同様の構成要素については、適宜、図示及び説明を省略する。
【０１３５】
図１２は、本発明の実施の形態２の変形例に係るＬＥＤモジュール１３０周辺のＹ方向かみた断面図である。図１２に示すように、規制部材１２５は、先端部にリベット１２９が設けられる。つまり、規制部材１２５は、貫通孔１４２に挿入された後に先端がつぶされ、基台１４０に固定される。好ましくは、リベット１２９は、穴が形成された筒状（いわゆるハトメ）である。
【０１３６】
以上のように、本変形例に係る電球形ランプ１００によれば、規制部材１２５の先端部にリベット１２９が設けられるので、より強固に基台１４０の動きを規制することができる。したがって、振動等によってリード線が基台から外れてしまうことをより確実に抑制することが可能となる。
【０１３７】
（実施の形態３）
次に、本発明の実施の形態３について説明する。
【０１３８】
本実施の形態に係る電球形ランプは、実施の形態１又は２に係る電球形ランプと、規制部材１２５がリード線として機能する点が主として異なる。以下、本実施の形態に係る電球形ランプについて、図面を参照しながら説明する。なお、本実施の形態において、実施の形態１又は２に係る電球形ランプと同様の構成要素については、適宜、図示及び説明を省略する。
【０１３９】
図１３は、本発明の実施の形態３に係るＬＥＤモジュール１３０周辺の斜視図である。また、図１４は、本発明の実施の形態３に係るＬＥＤモジュール１３０周辺のＹ方向からみた断面図である。
【０１４０】
基台１４０には、その軸方向が互いに異なる２つの貫通孔１４２が形成されている。２本の規制部材１２５のそれぞれは、貫通孔１４２に挿入されている。また、基台１４０には、１０個のＬＥＤチップ１５０を一列とし、３０個のＬＥＤチップ１５０が３列に実装されている。
【０１４１】
規制部材１２５は、口金１９０から供給された電力をＬＥＤモジュール１３０に供給するためのリード線である。また、規制部材１２５は、ＬＥＤモジュール１３０をグローブ１１０内において支持している。つまり、規制部材１２５は、実施の形態１又は２におけるリード線１７０と同様である。
【０１４２】
本実施の形態では、規制部材１２５は、図１４に示すように貫通孔１４２に挿入されている。規制部材１２５の先端部１２７は、例えば半田などの接合材１２８によって基台１４０に固定されている。具体的には、規制部材１２５の先端部１２７は、例えば、基台１４０に形成された金属配線パターン１４３に物理的及び電気的に接続されている。ここでは、３列のＬＥＤチップ１５０の列は、並列に接続されている。
【０１４３】
以上のように、本実施の形態に係る電球形ランプ１００によれば、規制部材１２５がリード線としても機能するので、電球形ランプ１００の構成を簡易にすることができる。また、リード線が基台１４０の貫通孔１４２に挿入されることになるので、振動等によってリード線とＬＥＤモジュール１３０との接続部分に加わる応力を分散させることが可能となる。
【０１４４】
さらに、本実施の形態に係る電球形ランプ１００によれば、２つの貫通孔１４２の軸方向が互いに異なるので、基台１４０に対して、一方の貫通孔１４２の軸方向に力が加わったとしても、他方の貫通孔１４２に挿入された規制部材１２５によって、当該力の方向に基台１４０が動くことを規制することができる。
【０１４５】
したがって、本実施の形態に係る電球形ランプ１００によれば、規制部材１２５（リード線）が振動等によって基台１４０から外れてしまうことをより確実に抑制することが可能となる。
【０１４６】
（実施の形態３の変形例）
次に、本発明の実施の形態３に係る電球形ランプ１００の変形例について説明する。
【０１４７】
本変形例に係る電球形ランプは、ステム１２０の代わりに板部材１２１を備える点が実施の形態３に係る電球形ランプと異なる。以下、本変形例に係る電球形ランプについて、図面を参照しながら説明する。なお、本変形例において、実施の形態３に係る電球形ランプと同様の構成要素については、適宜、図示及び説明を省略する。
【０１４８】
図１５は、本発明の実施の形態３の変形例に係る電球形ランプ１００のＹ方向からみた断面図である。図１５に示すように、電球形ランプ１００は、板部材１２１を備える。
【０１４９】
板部材１２１は、口金１９０の開口部１１１に嵌合されており、その周縁には、切り欠き部１２３が設けられている。その切り欠き部１２３と口金１９０とによって形成された溝に、グローブ１１０の開口部１１１が挿入され、シリコーン樹脂などからなる接着材１２２によって固定されている。また、板部材１２１には、貫通孔１２４が形成されている。規制部材１２５（リード線）は、その貫通孔１２４に挿入され、板部材１２１に固定されている。
【０１５０】
以上のように、電球形ランプ１００がステム１２０を備えない場合であっても、規制部材１２５によってＬＥＤモジュール１３０をグローブ１１０内において支持することができる。
【０１５１】
なお、上記実施の形態１〜３では、基台１４０は、角柱形状又は板形状であったが、必ずしもこのような形状である必要はない。例えば、基台１４０は、図１６に示すように、２つの角柱体が中央部分において直交するような形状（十字形状）であってもよい。基台１４０がこのような形状であっても、基台１４０の貫通孔１４２に挿入された規制部材１２５によってＬＥＤモジュール１３０の動きを規制することができる。つまり、振動等によってリード線１７０がＬＥＤモジュール１３０から外れてしまうことを抑制することが可能となる。
【０１５２】
（実施の形態４）
次に、本発明の実施の形態４に係る電球形ランプ１００について説明する。
【０１５３】
本実施の形態に係る電球形ランプでは、リード線が、ステムに対するＬＥＤモジュールの動きを規制する。なお、本実施の形態において、実施の形態１に係る電球形ランプと同様の構成要素については、適宜、図示及び説明を省略する。
【０１５４】
（電球形ランプ１００の全体構成）
図１７は、本発明の実施の形態４に係る電球形ランプ１００の斜視図である。また、図１８は、本発明の実施の形態４に係る電球形ランプ１００の分解斜視図である。また、図１９は、本発明の実施の形態４に係る電球形ランプ１００の正面図である。なお、図１９において、口金１９０の内部に位置する、点灯回路１８０とリード線１７０の一部とは、点線で示されている。
【０１５５】
電球形ランプ１００は、透光性のグローブ１１０に口金１９０が取り付けられた電球である。グローブ１１０内には、ＬＥＤチップが実装されたＬＥＤモジュール１３０が収納されている。ステム１２０の先端部から延びるリード線１７０は、ＬＥＤモジュール１３０を支持する。
【０１５６】
具体的には、図１７〜図１９に示すように、電球形ランプ１００は、グローブ１１０と、ステム１２０と、ＬＥＤモジュール１３０と、２本のリード線１７０と、点灯回路１８０と、口金１９０とを備える。
【０１５７】
（ステム１２０）
ステム１２０は、グローブ１１０の開口部１１１からグローブ１１０内に向かって延びるように設けられている。具体的には、ステム１２０の一端には、ＬＥＤモジュール１３０の近傍までＺ方向に延びる棒状の延伸部１２０ａが形成されている。この延伸部１２０ａの先端部からは、リード線１７０が突出している。つまり、リード線１７０は、ステム１２０の先端部に固定されている。
【０１５８】
（ＬＥＤモジュール１３０）
図２０は、本発明の実施の形態４に係るＬＥＤモジュール１３０周辺のＹ方向からみた断面図である。また、図２１は、本発明の実施の形態４に係るＬＥＤモジュール１３０周辺のＸ方向からみた断面図である。また、図２２は、本発明の実施の形態４に係るＬＥＤモジュール１３０の平面図である。
【０１５９】
ＬＥＤモジュール１３０は、第１発光モジュールに相当し、グローブ１１０内に収納されている。好ましくは、ＬＥＤモジュール１３０は、グローブ１１０によって形成される球形状の中心位置（例えばグローブ１１０の内径の大きい径大部分の内部）に配置される。このように中心位置にＬＥＤモジュール１３０が配置されることにより、電球形ランプ１００は、点灯時に従来のフィラメントコイルを用いた一般的な白熱電球と近似した全周配光特性を得ることができる。
【０１６０】
図２０及び図２１に示すように、ＬＥＤモジュール１３０は、基台１４０と、複数のＬＥＤチップ１５０と、封止材１６０とを有する。そして、ＬＥＤモジュール１３０は、複数のＬＥＤチップ１５０が装着された面をグローブ１１０の頂部に（Ｚ方向の正の向きに）向けて配置される。
【０１６１】
（基台１４０）
基台１４０は、第１基台に相当し、可視光に対して透光性を有する部材であり、具体的にはアルミナを含むセラミック製の部材である。基台１４０には、それぞれがＺ方向に基台１４０を貫通する２つの貫通孔１４２が形成されている。本実施の形態では、２つの貫通孔１４２は、一列に実装されたＬＥＤチップ１５０の列を挟むように配置されている。この２つの貫通孔１４２のそれぞれに、ステム１２０の先端部から導出された２本のリード線１７０の一方又は他方が挿入されている。貫通孔１４２に挿入されたリード線１７０の先端部は、貫通孔１４２の周囲に設けられた給電端子１４１に、半田などの接合材１７４により物理的及び電気的に接続されている。
【０１６２】
基台１４０のＬＥＤチップ１５０が実装された面には、給電端子１４１と基台１４０の長手方向（Ｘ方向）の端部とを繋ぐ金属配線パターン１４３が形成されている。つまり、ＬＥＤチップ１５０は、金属配線パターン１４３及び給電端子１４１を介して、貫通孔１４２に挿入された２本のリード線１７０と電気的に接続されている。その結果、点灯時には、図２２に矢印で示す方向に電流が流れる。
【０１６３】
基台１４０の形状は、四角柱形状（長さ２０ｍｍ（Ｘ方向）、幅１．５ｍｍ（Ｙ方向）、厚さ０．８ｍｍ（Ｚ方向））である。基台１４０の形状が角柱形状であるので、電球形ランプ１００は、白熱電球のフィラメントを擬似的にＬＥＤモジュール１３０で再現することが可能となる。なお、基台１４０の形状及び大きさは、一例であり、他の形状及び大きさであってもよい。
【０１６４】
（ＬＥＤチップ１５０）
ＬＥＤチップ１５０は、半導体発光素子であり、本実施の形態では通電されれば青色光を発する。ＬＥＤチップ１５０は、基台１４０の一側面に実装されている。具体的には、１２個のＬＥＤチップ１５０が、基台１４０の長手方向に直線状に並べて実装されている。
【０１６５】
（リード線１７０）
２本のリード線１７０は、ステム１２０の延伸部１２０ａの先端部から突出しており、ＬＥＤモジュール１３０を支持している。つまり、２本のリード線１７０は、ＬＥＤモジュール１３０をグローブ１１０内の一定の位置に保持している。また、口金１９０から供給された電力が、２本のリード線１７０を介して、ＬＥＤチップ１５０に供給される。各リード線１７０は、内部リード線１７１、ジュメット線（銅被覆ニッケル鋼線）１７２、及び外部リード線１７３を、この順に接合した複合線によって構成され、ＬＥＤモジュール１３０を支えるのに十分な強度を有している。
【０１６６】
内部リード線１７１は、ステム１２０の先端部からＬＥＤモジュール１３０に向かって延びている。内部リード線１７１の先端部は、基台１４０に形成された貫通孔１４２に挿入され、半田などの接合材１７４によって基台１４０に接合されている。
【０１６７】
ジュメット線１７２は、ステム１２０内に封着される。外部リード線１７３は、点灯回路１８０からステム１２０に向かって延びている。
【０１６８】
以上のように、本実施の形態に係る電球形ランプ１００によれば、ＬＥＤモジュール１３０の近傍まで延びるステム１２０の先端部から突出しているリード線１７０によってＬＥＤモジュール１３０を支持することができる。つまり、リード線１７０のステム１２０から露出している部分の長さを比較的短くすることができ、リード線１７０の強度を高めることができる。したがって、例えば電球形ランプ１００が振動等したときに、リード線１７０がＬＥＤモジュール１３０から外れてしまうことを抑制することが可能となる。また、ＬＥＤモジュール１３０を内部に収納したグローブ１１０の開口部１１１に口金１９０が設けられるので、ＬＥＤチップ１５０で生じた光が筐体によって遮られることなく、従来の白熱電球と同様の配光特性を得ることも可能となる。
【０１６９】
以下に、本発明の実施の形態４に係る電球形ランプ１００の変形例について説明する。
【０１７０】
（実施の形態４の変形例１）
まず、本発明の実施の形態４の変形例１について説明する。
【０１７１】
本発明の実施の形態４の変形例１に係る電球形ランプは、実施の形態４に係る電球形ランプと、主としてリード線１７０の形状が異なる。以下に、本変形例に係る電球形ランプについて、図面を参照しながら説明する。なお、本変形例において、実施の形態４に係る電球形ランプと同様の構成要素については、適宜、図示及び説明を省略する。
【０１７２】
図２３は、本発明の実施の形態４の変形例１に係るＬＥＤモジュール１３０周辺のＸ方向からみた断面図である。
【０１７３】
図２３に示すように、本変形例に係る電球形ランプ１００のリード線１７０は、基台１４０をステム１２０側から支持している支持部１７５を有する。この支持部１７５は、リード線１７０の屈曲部分からなり、ステム１２０と基台１４０との間に形成されている。本実施の形態では、屈曲部分はＵ字形状である。
【０１７４】
以上のように、本変形例に係る電球形ランプ１００によれば、Ｕ字状に形成された支持部１７５がリード線１７０に設けられるので、基台１４０がステム１２０側（Ｚ方向の負の向き）に動くことを簡易な構成で規制することができる。また、Ｕ字形状に形成された支持部１７５は、Ｚ方向に弾性を有するので、Ｚ方向の振動を吸収することも可能となる。その結果、例えば電球形ランプ１００が振動等したときに、リード線１７０がＬＥＤモジュール１３０から外れてしまうことを抑制することが可能となる。
【０１７５】
なお、支持部１７５は、必ずしもＵ字形状である必要はない。支持部１７５は、例えば、コの字形状あるいはコイル状などであってもよい。また、支持部１７５は、貫通孔１４２よりも大きな部材（例えば板部材）であってもよい。つまり、支持部１７５は、基台１４０がリード線１７０に沿ってステム１２０側に動くことを規制できれば、どのような形状であってもよい。
【０１７６】
（実施の形態４の変形例２）
次に、本発明の実施の形態４の変形例２について説明する。
【０１７７】
本発明の実施の形態４の変形例２に係る電球形ランプ１００は、実施の形態４に係る電球形ランプと、主としてＬＥＤチップ１５０の実装形態が異なる。以下に、本変形例に係る電球形ランプについて、図面を参照しながら説明する。なお、本変形例において、実施の形態４に係る電球形ランプと同様の構成要素については、適宜、図示及び説明を省略する。
【０１７８】
図２４は、本発明の実施の形態４の変形例２に係るＬＥＤモジュール１３０の平面図である。
【０１７９】
本変形例では、複数のＬＥＤチップ１５０は、２つのＬＥＤチップ列にわかれて基台１４０に実装されている。各ＬＥＤチップ列は、基台１４０の長手方向に直線状に実装されている。各ＬＥＤチップ列の一端は、貫通孔１４２に挿入されたリード線１７０に金属配線パターン１４３を介して接続されている。また、各ＬＥＤチップ列の他端は、金属配線パターン１４３を介して互いに接続されている。その結果、点灯時には、図２４に矢印で示す方向に電流が流れる。
【０１８０】
（実施の形態４の変形例３）
次に、本発明の実施の形態４の変形例３について説明する。
【０１８１】
本発明の実施の形態４の変形例３に係る電球形ランプ１００は、実施の形態４に係る電球形ランプと、支持線１２５０を備える点が異なる。以下に、本変形例に係る電球形ランプについて、図面を参照しながら説明する。なお、本変形例において、実施の形態４に係る電球形ランプと同様の構成要素については、適宜、図示及び説明を省略する。
【０１８２】
図２５は、本発明の実施の形態４の変形例３に係るＬＥＤモジュール周辺のＹ方向からみた断面図である。図２５に示すように、本変形例に係る電球形ランプ１００は、さらに２本の支持線１２５０を備える。
【０１８３】
２本の支持線１２５０のそれぞれは、ステム１２０に固定され、基台１４０の周縁部を支持している。具体的には、支持線１２５０は、基台１４０に形成された貫通孔に挿入されている。また、支持線１２５０のうち貫通孔から突出した先端部分は、Ｌ字状に折り曲げられ、接着材などにより基台１４０に固定されている。
【０１８４】
なお、支持線１２５０は、ＬＥＤモジュール１３０と電気的に接続される必要はない。
【０１８５】
以上のように、本変形例に係る電球形ランプ１００によれば、基台１４０の周縁部を支持線１２５０で支持することができるので、振動等によってリード線１７０がＬＥＤモジュール１３０から外れてしまうことをより確実に抑制することが可能となる。
【０１８６】
（実施の形態５）
次に、本発明の実施の形態５に係る電球形ランプ１００について説明する。
【０１８７】
本実施の形態に係る電球形ランプは、実施の形態４に係る電球形ランプと、２つのＬＥＤモジュールを備える点が異なる。以下、本実施の形態に係る電球形ランプについて、図面を参照しながら説明する。なお、本実施の形態において、実施の形態４に係る電球形ランプと同様の構成要素については、適宜、図示及び説明を省略する。
【０１８８】
図２６は、本発明の実施の形態５に係る電球形ランプ１００の正面図である。また、図２７は、本発明の実施の形態５に係るＬＥＤモジュール周辺のＹ方向からみた断面図である。
【０１８９】
本実施の形態に係る電球形ランプ１００は、２つのＬＥＤモジュール（第１ＬＥＤモジュール１３０ａ及び第２ＬＥＤモジュール１３０ｂ）と、２本の第１リード線１７６ａ、１７６ｂと、２本の第２リード線１７７ａ、１７７ｂとを備える。
【０１９０】
図２７に示すように、第１ＬＥＤモジュール１３０ａは、第１基台１４０ａと、複数の第１ＬＥＤチップ１５０ａと、第１封止材１６０ａとを有する。第１基台１４０ａは、第１リード線１７６ａと第２リード線１７７ａとにより支持されている。また、第１ＬＥＤチップ１５０ａには、第１リード線１７６ａと第２リード線１７７ａとを介して、電力が供給される。
【０１９１】
一方、第２ＬＥＤモジュール１３０ｂは、第２基台１４０ｂと、複数の第２ＬＥＤチップ１５０ｂと、第２封止材１６０ｂとを有する。第２基台１４０ｂは、第１リード線１７６ｂと第２リード線１７７ｂとにより支持されている。また、第２ＬＥＤチップ１５０ｂには、第１リード線１７６ｂと第２リード線１７７ｂとを介して、電力が供給される。
【０１９２】
なお、第１ＬＥＤモジュール１３０ａと第２ＬＥＤモジュール１３０ｂとは、同様の構成であるので、以下では、第１ＬＥＤモジュール１３０ａについて説明し、第２ＬＥＤモジュール１３０ｂの説明を省略する。
【０１９３】
第１基台１４０ａは、実施の形態４に係る基台１４０と同様に、可視光に対して透光性を有する部材であり、具体的にはアルミナを含むセラミック製の部材である。また、第１基台の形状は、四角柱形状である。
【０１９４】
第１基台１４０ａの長手方向（Ｘ方向）の両端部のそれぞれには、給電端子１４１が設けられている。第１リード線１７６ａと第２リード線１７７ａのそれぞれは、給電端子１４１に半田により電気的及び物理的に接続されている。
【０１９５】
第１ＬＥＤチップ１５０ａは、実施の形態４に係るＬＥＤチップ１５０と同様に、通電されれば青色光を発する。本実施の形態では、５個の第１ＬＥＤチップ１５０ａが、２つの給電端子１４１の間に直線状に並べて実装されている。
【０１９６】
なお、各第１ＬＥＤチップ１５０ａの構成は、実施の形態４と同様であるので説明を省略する。また、第１封止材１６０ａは、実施の形態４に係る封止材１６０と同様であるので説明を省略する。
【０１９７】
第１リード線１７６ａ、１７６ｂは、その一部がステム１２０内に封着されており、ステム１２０の先端部から突出している。また、第２リード線１７７ａ、１７７ｂは、その一部がステム１２０内に封着されており、ステム１２０の中間部から突出している。
【０１９８】
以上のように、本実施の形態に係る電球形ランプ１００によれば、２つのＬＥＤモジュールへの電力供給と２つのＬＥＤモジュールの支持との両方を第１リード線１７６ａ、１７６ｂを用いて実現することができる。したがって、電球形ランプ１００が２つのＬＥＤモジュールを備える場合に、比較的簡易な構成でリード線が２つのＬＥＤモジュールから外れてしまうことを抑制することが可能となる。
【０１９９】
さらに、本実施の形態に係る電球形ランプ１００によれば、２つのＬＥＤモジュールのそれぞれに互いに異なるリード線を介して電力を供給することができる。したがって、例えば、２つのＬＥＤモジュールの一方のみを点灯させることなどが可能となる。
【０２００】
（実施の形態５の変形例）
次に、本発明の実施の形態５の変形例に係る電球形ランプについて説明する。
【０２０１】
本変形例に係る電球形ランプは、実施の形態５に係る電球形ランプと、第１リード線が主として異なる。以下、本変形例に係る電球形ランプについて、図面を参照しながら説明する。なお、本変形例において、実施の形態５に係る電球形ランプと同様の構成要素については、適宜、図示及び説明を省略する。
【０２０２】
図２８は、本発明の実施の形態５の変形例に係るＬＥＤモジュール周辺のＹ方向からみた断面図である。
【０２０３】
本変形例では、第１リード線１７６は、１本であり、グローブ１１０内において、第１ＬＥＤチップ１５０ａと第２ＬＥＤチップ１５０ｂとを電気的に接続する。具体的には、第１リード線１７６の一端は、第１基台１４０ａに設けられた給電端子１４１に接続されており、第１リード線１７６の他端は、第２基台１４０ｂに設けられた給電端子１４１に接続されている。また、第１リード線１７６は、Ｕ字形状であり、屈曲部分がステム１２０の先端部に固定されている。
【０２０４】
このように第１リード線１７６が第１ＬＥＤチップ１５０ａと第２ＬＥＤチップ１５０ｂとを電気的に接続することにより、点灯時には、図２７に矢印で示すように電流が流れる。
【０２０５】
以上のように、本変形例に係る電球形ランプ１００によれば、グローブ１１０内における２つのＬＥＤモジュールの電気的な接続と２つのＬＥＤモジュールの支持との両方を第１リード線１７６を用いて実現することができる。したがって、電球形ランプ１００が２つのＬＥＤモジュールを備える場合に、比較的簡易な構成でリード線が２つのＬＥＤモジュールから外れてしまうことを抑制することが可能となる。
【０２０６】
（実施の形態６）
次に、本発明の実施の形態６について説明する。
【０２０７】
本実施の形態に係る電球形ランプは、実施の形態４又は５に係る電球形ランプと、基台１４０の構成が主として異なる。以下、本実施の形態に係る電球形ランプについて、図面を参照しながら説明する。なお、本実施の形態において、実施の形態４又は５に係る電球形ランプと同様の構成要素については、適宜、図示及び説明を省略する。
【０２０８】
図２９は、本発明の実施の形態６に係るＬＥＤモジュール１３０周辺の斜視図である。また、図３０は、本発明の実施の形態６に係るＬＥＤモジュール１３０周辺のＹ方向からみた断面図である。
【０２０９】
基台１４０は、窒化アルミニウムを含むセラミック製の透光性を有する部材である。また、基台１４０は、十字形状の板状部材であり、中心部及び各端部に貫通孔１４２が形成されている。第１リード線１７６及び４本の第２リード線１７７のそれぞれは、貫通孔１４２に挿入されている。
【０２１０】
また、図２９に示すように、基台１４０の一方の面（表面）には、金属配線パターン１４３が形成されており、ＬＥＤチップ１５０が実装されている。各貫通孔１４２の周囲にも金属配線パターン１４３は形成されており、第１リード線１７６及び４本の第２リード線１７７のそれぞれの先端部は、半田などの接合材により金属配線パターン１４３に電気的及び物理的に接続されている。
【０２１１】
つまり、この金属配線パターン１４３を介して、各ＬＥＤチップ１５０に電力が供給される。なお、配線パターンは、ＩＴＯ（Ｉｎｄｉｕｍ  Ｔｉｎ  Ｏｘｉｄｅ）などの透光性導電材により形成されてもよい。この場合、金属配線パターンに比べて、ＬＥＤチップ１５０で生じた光を配線パターンによって損失することを抑制することができる。
【０２１２】
ＬＥＤチップ１５０は、通電されれば紫色光を発する半導体発光素子である。具体的には、７個のＬＥＤチップ１５０を１列とし、２８個のＬＥＤチップ１５０が４列に十字状に実装されている。
【０２１３】
封止材１６０は、透光性を有する部材であり、ＬＥＤチップ１５０の列をそれぞれ覆うように設けられている。封止材１６０には、波長変換材として、青色蛍光体、緑色蛍光体、及び赤色蛍光体が含まれる。その結果、ＬＥＤチップ１５０で生じた紫色光は、白色光に変換される。
【０２１４】
以上、本発明の一態様に係る電球形ランプについて、実施の形態及びその変形例に基づいて説明したが、本発明は、これらの実施の形態に限定されるものではない。本発明の趣旨を逸脱しない限り、当業者が思いつく各種変形を本実施の形態に施したもの、あるいは異なる実施の形態あるいは変形例における構成要素を組み合わせて構築される形態も、本発明の範囲内に含まれる。
【０２１５】
例えば、上記実施の形態１〜６では、電球形ランプ１００は、商用の交流電源から交流電力を受電していたが、例えば電池などから直流電力を受電してもよい。この場合、電球形ランプ１００は、図６に示した点灯回路１８０を備えなくてもよい。
【０２１６】
また、上記実施の形態１〜６では、基台１４０は、角柱形状又は板形状などであったが、必ずしもこのような形状である必要はない。
【０２１７】
また、本発明は、このような電球形ランプとして実現することができるだけでなく、このような電球形ランプを備える照明装置として実現することもできる。以下、本発明の一態様に係る照明装置について、図３１を参照しながら説明する。
【０２１８】
図３１は、本発明の一態様に係る照明装置２００の概略断面図である。
【０２１９】
照明装置２００は、例えば、室内の天井３００に装着されて使用され、図３１に示すように、上記実施の形態１〜６又はそれらの変形例に係る電球形ランプ１００と点灯器具２２０とを備える。
【０２２０】
点灯器具２２０は、電球形ランプ１００を消灯及び点灯させるものであり、天井３００に取り付けられる器具本体２２１と、電球形ランプ１００を覆うランプカバー２２２とを備える。
【０２２１】
器具本体２２１は、ソケット２２１ａを有する。ソケット２２１ａには、電球形ランプ１００の口金１９０が螺合される。このソケット２２１ａを介して電球形ランプ１００に電力が供給される。
【０２２２】
なお、ここで示した照明装置２００は、本発明の一態様に係る照明装置２００の一例である。本発明の一態様に係る照明装置は、電球形ランプ１００を保持するとともに、電球形ランプ１００に電力を供給するためのソケットを少なくとも備えればよい。なお、ソケットには、口金１９０が螺合される必要はなく、単に差し込まれるだけでもよい。
【０２２３】
また、図３１に示す照明装置２００は、１つの電球形ランプ１００を備えていたが、複数の電球形ランプ１００を備えてもよい。
【産業上の利用可能性】
【０２２４】
本発明は、従来の白熱電球等を代替するＬＥＤ電球及びそのＬＥＤ電球を備える照明装置などとして有用である。
【符号の説明】
【０２２５】
１００    電球形ランプ
１１０    グローブ
１１１    開口部
１２０    ステム
１２０ａ  延伸部
１２１    板部材
１２２    接着材
１２３    切り欠き部
１２４、１４２    貫通孔
１２５    規制部材
１２６    支持部
１２７    先端部
１２８    接合材
１２９    リベット
１３０    ＬＥＤモジュール
１３０ａ  第１ＬＥＤモジュール
１３０ｂ  第２ＬＥＤモジュール
１４０    基台
１４０ａ  第１基台
１４０ｂ  第２基台
１４１    給電端子
１４３    金属配線パターン
１５０    ＬＥＤチップ
１５０ａ  第１ＬＥＤチップ
１５０ｂ  第２ＬＥＤチップ
１５１    サファイア基板
１５２    窒化物半導体層
１５３    カソード電極
１５４    アノード電極
１５５、１５６    ワイヤーボンド部
１５７    金ワイヤー
１５８    チップボンディング材
１６０    封止材
１６０ａ  第１封止材
１６０ｂ  第２封止材
１７０    リード線
１７１    内部リード線
１７２    ジュメット線
１７３    外部リード線
１７４    接合材
１７５    支持部
１７６、１７６ａ、１７６ｂ    第１リード線
１７７、１７７ａ、１７７ｂ    第２リード線
１８０    点灯回路
１８１    入力端子
１８２    出力端子
１８３    ダイオードブリッジ
１８４    コンデンサー
１８５    抵抗
１９０    口金
１９１    スクリュー部
１９２    アイレット部
２００    照明装置
２２０    点灯器具
２２１    器具本体
２２１ａ  ソケット
２２２    ランプカバー
３００    天井
１２５０    支持線
【図１】
2012060058.tif 000003
【図２】
2012060058.tif 000004
【図３】
2012060058.tif 000005
【図４】
2012060058.tif 000006
【図５】
2012060058.tif 000007
【図６】
2012060058.tif 000008
【図７】
2012060058.tif 000009
【図８】
2012060058.tif 000010
【図９】
2012060058.tif 000011
【図１０】
2012060058.tif 000012
【図１１Ａ】
2012060058.tif 000013
【図１１Ｂ】
2012060058.tif 000014
【図１２】
2012060058.tif 000015
【図１３】
2012060058.tif 000016
【図１４】
2012060058.tif 000017
【図１５】
2012060058.tif 000018
【図１６】
2012060058.tif 000019
【図１７】
2012060058.tif 000020
【図１８】
2012060058.tif 000021
【図１９】
2012060058.tif 000022
【図２０】
2012060058.tif 000023
【図２１】
2012060058.tif 000024
【図２２】
2012060058.tif 000025
【図２３】
2012060058.tif 000026
【図２４】
2012060058.tif 000027
【図２５】
2012060058.tif 000028
【図２６】
2012060058.tif 000029
【図２７】
2012060058.tif 000030
【図２８】
2012060058.tif 000031
【図２９】
2012060058.tif 000032
【図３０】
2012060058.tif 000033
【図３１】
2012060058.tif 000034
【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
開口部が形成された中空のグローブと、
第１基台及び前記第１基台上に実装された第１半導体発光素子を有し、前記グローブ内に収納された第１発光モジュールと、
前記グローブの開口部から前記第１発光モジュールの近傍まで延びるように設けられたステムであって、前記第１発光モジュールの近傍の部分と比べて径が大きい部分を前記グローブの開口部側に有するステムと、
前記ステムの径が大きい部分から前記グローブ内に突出しており、前記第１発光モジュールに電力を供給するためのリード線と、
前記ステムの先端部に固定され、前記ステムに対する前記第１発光モジュールの動きを規制する規制部材とを備える
電球形ランプ。
【請求項２】
前記第１基台には、貫通孔が形成されており、
前記規制部材は、前記貫通孔に挿入されている
請求項１に記載の電球形ランプ。
【請求項３】
前記規制部材は、前記第１基台を前記ステム側から支持している支持部を有する
請求項２に記載の電球形ランプ。
【請求項４】
前記規制部材は、線状部材であり、
前記支持部は、前記規制部材の屈曲部分からなり、前記ステムの先端部と前記第１基台との間に形成されている
請求項３に記載の電球形ランプ。
【請求項５】
前記屈曲部分はＵ字形状である
請求項４に記載の電球形ランプ。
【請求項６】
前記支持部は、前記貫通孔の幅よりも大きな幅を有する部材であり、前記ステムの先端部と前記第１基台との間に設けられている
請求項３に記載の電球形ランプ。
【請求項７】
前記電球形ランプは、複数の前記規制部材を備え、
前記第１基台には、前記複数の規制部材のそれぞれに対応する複数の前記貫通孔が形成されており、
前記複数の貫通孔のうち少なくとも２つの貫通孔の軸方向は互いに異なる
請求項２に記載の電球形ランプ。
【請求項８】
前記ステムは、前記グローブの開口部を塞ぐように前記グローブに接合されており、
前記規制部材の一部は、前記ステムに封着されている
請求項７に記載の電球形ランプ。
【請求項９】
前記規制部材の前記貫通孔から突出した先端部は、折り曲げられている
請求項２〜８のいずれか１項に記載の電球形ランプ。
【請求項１０】
前記規制部材の前記貫通孔に挿入された先端部は、接合材によって前記第１基台に固定されている
請求項２〜９のいずれか１項に記載の電球形ランプ。
【請求項１１】
（削除）
【請求項１２】
（削除）
【請求項１３】
前記ステムは、前記グローブの開口部を塞ぐように前記グローブに接合されており、
前記第１リード線の一部は、前記ステムに封着されている
請求項１〜１０のいずれか１項に記載の電球形ランプ。
【請求項１４】
前記電球形ランプは、さらに、
第２基台及び前記第２基台上に実装された第２半導体発光素子を有し、前記グローブ内に収納された第２発光モジュールと、
前記第１発光モジュール及び前記第２発光モジュールを支持しており、前記第１発光モジュール及び前記第２発光モジュールに電力を供給するための少なくとも２本の第２リード線とを備え、
前記第１リード線は、前記第１基台及び前記第２基台を支持しており、
前記２本の第２リード線のうち、一方は前記第１基台を支持しており、他方は前記第２基台を支持している
請求項１〜１０のいずれか１項に記載の電球形ランプ。
【請求項１５】
前記第１リード線は、前記グローブ内において、前記第１発光モジュールと前記第２発光モジュールとを電気的に接続している
請求項１４に記載の電球形ランプ。
【請求項１６】
前記電球形ランプは、少なくとも２本の前記第１リード線を備え、
前記２本の第１リード線のうち、一方は前記第１基台を支持しており、他方は前記第２基台を支持しており、
前記２本の第１リード線の一方と前記２本の第２リード線の一方とを介して、前記第１発光モジュールに電力が供給され、
前記２本の第１リード線の他方と前記２本の第２リード線の他方とを介して、前記第２発光モジュールに電力が供給される
請求項１４に記載の電球形ランプ。
【請求項１７】
前記ステムは、前記グローブの開口部を塞ぐように前記グローブに接合されており、
前記２本の第１リード線のそれぞれの一部と、前記２本の第２リート線のそれぞれの一部とは、前記ステムに封着されている
請求項１６に記載の電球形ランプ。
【請求項１８】
前記第１基台は、透光性を有する
請求項１〜１０および１３〜１７のいずれか１項に記載の電球形ランプ。
【請求項１９】
前記ステムは、可視光に対して透明である
請求項１〜１０および１３〜１８のいずれか１項に記載の電球形ランプ。
【請求項２０】
前記グローブは、可視光に対して透明なガラスからなる
請求項１〜１０および１３〜１９のいずれか１項に記載の電球形ランプ。
【請求項２１】
請求項１〜１０および１３〜２０のいずれか１項に記載の電球形ランプを備える照明装置。
【国際調査報告】
2012060058.tif 000035
2012060058.tif 000036
2012060058.tif 000037
2012060058.tif 000038